(57)【要約】【課題】廃棄物の種類や量に応じて簡易に収容量を調節することが可能な分別ストッカを提供することである。【解決手段】分別ストッカは、廃棄物の収納袋を収容するための上面が開口したケースと、前記廃棄物の収納袋に設けられる持ち運び用の２つの孔に通すための複数の支持棒と、前記複数の支持棒を前記ケースに設置するための支持棒設置部とを備える。例えば、前記支持棒設置部は、前記複数の支持棒の転がりを防止し、かつ前記複数の支持棒の間隔を調節するための凹凸形状を有する。或いは、前記支持棒設置部は、前記複数の支持棒を転がすことによって前記複数の支持棒の間隔を調節できるように水平方向に直線的な複数の部材で構成される。【選択図】  図１
2013060240.tif 000002
【特許請求の範囲】
【請求項１】
廃棄物の収納袋を収容するための上面が開口したケースと、
前記廃棄物の収納袋に設けられる持ち運び用の２つの孔に通すための複数の支持棒と、
前記複数の支持棒を前記ケースに設置するための支持棒設置部と、
を備える分別ストッカ。
【請求項２】
前記支持棒設置部は、前記複数の支持棒の転がりを防止し、かつ前記複数の支持棒の間隔を調節するための凹凸形状を有する請求項１記載の分別ストッカ。
【請求項３】
前記支持棒設置部は、前記複数の支持棒を転がすことによって前記複数の支持棒の間隔を調節できるように水平方向に直線的な複数の部材で構成される請求項１記載の分別ストッカ。
【請求項４】
前記ケースの開口部を閉じるための蓋を更に有し、
前記支持棒設置部は、前記ケースを前記蓋で閉じることができるように、前記複数の支持棒を前記ケースの内部に設置するように構成される請求項１又は２記載の分別ストッカ。
【請求項５】
前記支持棒設置部は、凹凸が周期的に繰り返す波型の部材で構成される請求項２又は４記載の分別ストッカ。
【請求項６】
前記支持棒設置部は、長手方向を水平方向に向けた複数の直線的な棒状部材で構成される請求項３又は４記載の分別ストッカ。
【請求項７】
前記複数の支持棒の各両端に、前記支持棒設置部からの脱落を防止する脱落防止部を設けた請求項１乃至６のいずれか１項に記載の分別ストッカ。
【発明の詳細な説明】
【技術分野】
【０００１】
本発明の実施形態は、分別ストッカに関する。
【背景技術】
【０００２】
従来、缶やペットボトル等の廃棄物を分別して収容する分別ストッカが提案されている（例えば特許文献１参照）。この分別ストッカは、廃棄物の種類を表示させるための複数の表示部を設けるとともに廃棄物の種類ごとの収納袋を取り付けるための複数のフックを備えて構成したものである。
【先行技術文献】
【特許文献】
【０００３】
【特許文献１】特開平９−２７８１０９号公報
【発明の概要】
【発明が解決しようとする課題】
【０００４】
しかしながら従来の分別ストッカは、廃棄物の種類や量に応じて収容量を調節することが困難である。また、廃棄物の分別ストッカには、廃棄物の密閉性や収納の容易さが望まれる。
【０００５】
そこで、本発明は、廃棄物の種類や量に応じて簡易に収容量を調節することが可能な分別ストッカを提供することを目的とする。
【課題を解決するための手段】
【０００６】
本発明の実施形態に係る分別ストッカは、廃棄物の収納袋を収容するための上面が開口したケースと、前記廃棄物の収納袋に設けられる持ち運び用の２つの孔に通すための複数の支持棒と、前記複数の支持棒を前記ケースに設置するための支持棒設置部とを備える。
【発明の効果】
【０００７】
本発明の実施形態に係る分別ストッカによれば、廃棄物の種類や量に応じて簡易に収容量を調節することができる。
【図面の簡単な説明】
【０００８】
【図１】図１は本発明の第１の実施形態に係る分別ストッカの構成の一例を示す斜視図。
【図２】図１に示す分別ストッカの正面図。
【図３】図１に示す分別ストッカの上面図。
【図４】図１に示す分別ストッカの側面図。
【図５】本発明の第２の実施形態に係る分別ストッカに備えられる支持棒設置部の構造の一例を示す斜視図。
【発明を実施するための形態】
【０００９】
本発明の実施形態に係る分別ストッカについて添付図面を参照して説明する。
【００１０】
図１は本発明の第１の実施形態に係る分別ストッカの構成の一例を示す斜視図、図２は図１に示す分別ストッカ１の正面図、図３は図１に示す分別ストッカ１の上面図、図４は図１に示す分別ストッカ１の側面図である。
【００１１】
分別ストッカ１は、廃棄物を種類ごとの収納袋Ｏに収納して収容するための容器である。分別ストッカ１は、ケース２、蓋３、複数の支持棒４及び支持棒設置部５を有する。ケース２は、上面が開口した箱状の構造を有しており、缶やペットボトル等の廃棄物の収納袋Ｏを分別して収容するための構成要素である。
【００１２】
また、ケース２の開口部は、蓋３で閉じることができる。例えば、蓋３の一端を回転機構３Ａでケース２に開閉自在に取付けることができる。また、蓋３を開閉するための回転機構３Ａを、足で踏むことによって操作するペダル式のレバー３Ｂと連結し、レバー３Ｂの操作によって蓋３を開閉できるようにすることもできる。一方、使用目的によっては蓋３を省略してもよい。
【００１３】
ケース２には、支持棒設置部５が固定される。支持棒設置部５は、複数の支持棒４を、長手方向を水平方向に向けてケース２に設置する機能を有している。より具体的には、支持棒設置部５は、円柱形状又は円筒形状を有する複数の支持棒４を水平方向に転がすことによって複数の支持棒４の間隔を調節できるように水平方向に直線的な複数の部材で構成される。
【００１４】
図１から図４に示す分別ストッカ１は、長手方向を、支持棒４の長手方向と略垂直な水平方向に向けた２本の直線的な棒状部材で支持棒設置部５を構成した例を示している。尚、３本以上の棒状部材を平行にケース２に固定し、支持棒４の長手方向にも複数の支持棒４を配置できるようにしてもよい。
【００１５】
支持棒設置部５は、ケース２に着脱できるように、或いはケース２から脱落しないように強固に所望の取付け方法で取り付けることができる。図１から図４に示す分別ストッカ１は、ケース２の両側面に貫通孔を開け、２つの貫通孔に棒状の支持棒設置部５の両端を挿入することによって支持棒設置部５をケース２に取り付けた例を示す。
【００１６】
一方、支持棒設置部５によりケース２に設置される複数の支持棒４は、廃棄物の種類ごとの複数の収納袋Ｏがそれぞれケース２内に収容されるように収納袋Ｏを支持するための構成要素である。廃棄物の収納袋Ｏには、市販のビニール袋や手提げ袋を用いることができる。そして、廃棄物の収納袋Ｏに設けられる持ち運び用の２つの孔に各支持棒４を通した状態で、各支持棒４を支持棒設置部５に設置することにより、廃棄物の収納袋Ｏをケース２内に収容したまま保持することができる。
【００１７】
特に、２本の支持棒４を１つのセットし、２本の支持棒４を廃棄物の収納袋Ｏの持ち運び用の２つの孔に通すようにすれば、支持棒４の間隔の調整によって収納袋Ｏの収納口を常に開いた状態にすることができる。支持棒４間の距離は、前述のように各支持棒４を支持棒設置部５上において転がすことによって調整することができる。
【００１８】
各支持棒４の各両端には、支持棒設置部５上に設置又は支持棒設置部５上において転がす際に、支持棒設置部５からの脱落を防止する脱落防止部を設けることが望ましい。図１から図４に示す例では、円盤状の脱落防止部が各支持棒４の両端に設けられている。
【００１９】
加えて、各支持棒４をケース２の内部に設置できるようにすれば、蓋３を閉じた状態で廃棄物の収納袋Ｏをケース２内に収容することができる。従って、ケース２を蓋３で閉じることができるように、支持棒設置部５が複数の支持棒４をケース２の内部に設置するように構成することが望ましい。図１から図４に示す例では、各支持棒４の各両端に設けられる円盤状の脱落防止部をケース２の内部に配置することが可能となる位置に、支持棒設置部５が設けられている。
【００２０】
一方、ケース２を蓋３で閉じる必要がない場合には、各支持棒４がケース２からはみ出した状態で設置されるようにしてもよい。従って、例えば、支持棒設置部５をケース２とは別の部品とせずに、ケース２の開口する縁にケース２の一部として支持棒設置部５を形成してもよい。換言すれば、ケース２の幅よりも長い支持棒４の両端を、支持棒設置部５としてのケース２の縁で支持するようにしてもよい。この場合には、ケース２の縁の四隅などに支持棒４の脱落を防止するためのストッパを設けることが効果的である。
【００２１】
つまり以上のような分別ストッカ１は、廃棄物の種類ごとの収納袋Ｏを支持するための複数の支持棒４を構成要素として設け、かつ複数の支持棒４を自由自在にケース２に設置できるようにしたものである。
【００２２】
このため、分別ストッカ１によれば、廃棄物の収納袋Ｏの数やサイズに合わせて複数の支持棒４の数や位置を変更することができる。換言すれば、廃棄物の収納袋Ｏの数及びサイズを変えることができる。また、分別ストッカ１によれば、廃棄物の収納袋Ｏの収納口を開いた状態にできるのみならず、収納口の位置も移動させることができる。
【００２３】
更に、分別ストッカ１によれば、収納袋Ｏに廃棄物を収容した状態で蓋３を閉じることができる。また、収納袋Ｏが廃棄物で満杯になった場合には、収納袋Ｏをそのまま回収して新しい収納袋Ｏと交換することができる。そして、回収された廃棄物を、必要に応じて資源物として再利用することが可能となる。
【００２４】
図５は本発明の第２の実施形態に係る分別ストッカに備えられる支持棒設置部の構造の一例を示す斜視図である。
【００２５】
第２の実施形態における分別ストッカ１Ａでは、支持棒設置部５Ａの構造が第１の実施形態における分別ストッカ１と相違する。他の構成については図１に示す分別ストッカ１と実質的に異ならないため支持棒設置部５Ａのみ図示し、同一の構成については説明を省略する。
【００２６】
分別ストッカ１Ａの支持棒設置部５Ａは、複数の支持棒４の転がりを防止し、かつ複数の支持棒４の間隔を調節するための凹凸形状を有している。図５は、支持棒設置部５Ａを、凹凸が周期的に繰り返す波型の部材で構成した例を示している。
【００２７】
すなわち、図５には、棒をトタンの断面のように波型に変形させて得られる２本の部材を支持棒設置部５Ａとした例が示されている。但し、支持棒設置部５Ａの形状を、Ｖ字形状を繰り返す形状や矩形の凹凸を繰り返す形状としてもよい。
【００２８】
つまり、図５に示す分別ストッカ１Ａは、図１から図４に示すような支持棒設置部５上において支持棒４を転がすことによって支持棒４の位置を調整する代わりに、支持棒設置部５Ａ上に位置決め機能として設けられた凹凸形状を利用して支持棒４の位置を調整するようにしたものである。
【００２９】
このため、図５に示すような支持棒設置部５Ａを有する分別ストッカ１Ａによれば、支持棒設置部５Ａ及び複数の支持棒４の長手方向が完全に水平方向となっていなくても各支持棒４の転がりを防止することができる。また、支持棒４の間隔の調節が容易となる。加えて支持棒４が常に支持棒設置部５Ａの長さ方向に対して略垂直となり、かつ各支持棒４は互いに略平行となる。従って、支持棒４の脱落防止部６を省略しても、支持棒４が支持棒設置部５Ａから脱落することを防止することができる。この結果、支持棒４を非常に簡易な構造とすることができる。
【００３０】
尚、図１から図４に示す支持棒設置部５と図５に示す支持棒設置部５Ａとを交換できるようにしてもよい。この場合、分別ストッカ１、１Ａの設置場所や廃棄物の重量等の様々な条件に応じて、よりフレキシブルに廃棄物の分別方法を調整することが可能となる。
【００３１】
また、上述した第１及び第２の実施形態における分別ストッカ１、１Ａ並びに支持棒設置部５、５Ａの置換が可能な分別ストッカ１、１Ａを、廃棄物以外の所望の収容対象物の収納に利用することができる。この場合、流通しているビニール袋や市販の手提げ袋等の収納袋Ｏから収容対象物を取り出すことなく収容対象物を種類ごとに仕分けして分別ストッカ１、１Ａに収容することができる。また、運搬設備によって支持棒４ごと収納袋Ｏを自動的に分別ストッカ１、１Ａに出し入れすることも可能である。具体例として、ネジ等の部品の仕分けや金属屑等の資源物の仕分けなどにも利用することができる。
【符号の説明】
【００３２】
１、１Ａ  分別ストッカ
２  ケース
３  蓋
３Ａ  回転機構
３Ｂ  レバー
４  支持棒
５、５Ａ  支持棒設置部
６  脱落防止部
Ｏ  収納袋
【図１】
2013060240.tif 000003
【図２】
2013060240.tif 000004
【図３】
2013060240.tif 000005
【図４】
2013060240.tif 000006
【図５】
2013060240.tif 000007